(57)【要約】【課題】生産性が高く、コストの安い密閉型電動圧縮機のモーター保護装置を提供する。【解決手段】略円筒形をなす本体部１０５に、鍵状の爪部１０６を端面に設けたアーム部１０７と挿入方向に対して各々反対方向に傾斜したテーパー部１０９、１１０を備えた係止用の突起部１１０を備えたモータープロテクター１０４と密閉型電動圧縮機外側に固定され爪部１０６に対応しこれを係止する係止部１１１と突起部１１０に対応しこれを係止する係止孔１１２を穿設した挿入部１１３を形成したブラケット１０３とを備え爪部１０６を係止用の係止部１１１に係合しこれを支点にして突起部１１０を係止孔１１２に押圧係止することでモ−タープロテクター１０４を密閉型電動圧縮機に固定したもので、スプリングクリップ等の部品が不要で、安価にできかつ、ワンタッチでモータープロテクターを装着固定できる。【選択図】図２
2006161707.tif 000002
【特許請求の範囲】
【請求項１】
略円筒形をなす本体部に、鍵状の爪部を端面に設けたアーム部と、挿入方向に対して各々反対方向に傾斜したテーパー部を備えた係止用の突起部とを備えたモータープロテクターと、密閉型電動圧縮機外側に固定され前記爪部に対応しこれを係止する係止部と前記突起部に対応しこれを係止する係止孔を穿設した挿入部とを形成したブラケットとを備え、前記爪部を前記係止用の係止部に係合しこれを支点にして前記突起部を前記係止孔に押圧係止することで前記モータープロテクターを前記密閉型電動圧縮機に装着固定してなる密閉型電動圧縮機のモーター保護装置。
【請求項２】
本体部とアーム部及び突起部を、熱可塑性の樹脂材で一体に形成した請求項１に記載の密閉型電動圧縮機のモーター保護装置。
【請求項３】
係止部は薄板部材を略コ字状に折曲形成することで形成された請求項１に記載の密閉型電動圧縮機のモーター保護装置。
【請求項４】
突起部が挿入される挿入部の端面に、外に向かって拡がるテーパー部を設けた請求項１に記載の密閉型電動圧縮機のモーター保護装置。
【発明の詳細な説明】
【技術分野】
【０００１】
本発明は密閉型電動圧縮機（以下圧縮機という）のモ−ター保護装置の装着固定の改良に関するものである。
【背景技術】
【０００２】
従来、圧縮機のモ−タープロテクターの装着固定は密閉容器内外を電気的に連絡させるハーメチックターミナルにモ−タープロテクターをブラケットにスプリングクリップで装着したものが一般的である（例えば、特許文献１参照）。
【０００３】
以下、図面を参照しながら上記従来の圧縮機を説明する。
【０００４】
図１３は従来の密閉型電動圧縮機の側面図、図１４は図１３のＨ−Ｈ矢視図、図１５は従来のモーター保護装置の拡大図、図１６は従来のスプリングクリップの側面図、図１７は従来のスプリングクリップの拡大側面図である。
【０００５】
図１３から図１７において、圧縮機本体を形成する密閉容器１には、電動要素（図示せず）と、この電動要素より駆動される圧縮要素（図示せず）とが、複数のスプリング（図示せず）によって弾性的に保持されている。
【０００６】
密閉容器１は、密閉容器１内外を電気的に連絡するハーメチックターミナル２と電装品カバー（図示せず）を固定する密閉容器１の外側に溶接固定したブラケット３を備えている。ブラケット３には断面がクランク状の取り付け部３ａが折曲形成されている。
【０００７】
略円筒形のモータープロテクター４は本体部５とフランジ部６で形成されており本体の内部には密閉容器１の温度や電流を感知して動作するよう、ヒーター（図示せず）とバイメタル（図示せず）を内蔵している。
【０００８】
モータープロテクター４を固着させるスプリングクリップ７はモ−タープロテクター４の本体部５の外径とほぼ同じ内径寸法の円弧を有する内側部８と、両サイドに延出形成されたアーム部９と、アーム部９の先端に上下左右に膨出するように形成された固着部１０から構成され、バネ性のあるピアノ線から形成されている。
【０００９】
以上のような構成において、本体部５をスプリングクリップ７の内側部８に挿入し、ブラケット３に備えた取り付け部３ａにスプリングクリップ７の固着部１０を挿入することで、モ−タープロテクター４は弾性的に密閉容器１に固定されている。
【特許文献１】実開昭５７−５２０４３号公報
【発明の開示】
【発明が解決しようとする課題】
【００１０】
しかしながら、上記従来の構成では、図１５と図１６に示すように、スプリングクリップ７とモ−タープロテクター４の本体部５とが別部品であるため、本体部５と一体にするための工程が必要であり、又スプリングクリップ７の形状が複雑で生産性が悪くコストが高い。
【００１１】
本発明は、上記従来の課題を解決するもので、生産性が高く、コストの安い密閉型電動圧縮機のモーター保護装置を提供することを目的とする。
【課題を解決するための手段】
【００１２】
上記従来の課題を解決するために、本発明の密閉型電動圧縮機のモ−ター保護装置は、略円筒形をなす本体部に、鍵状の爪部を端面に設けたアーム部と、挿入方向に対して各々反対方向に傾斜したテーパー部を備えた係止用の突起部とを備えたモータープロテクターと、密閉型電動圧縮機外側に固定され前記爪部に対応しこれを係止する係止部と前記突起部に対応しこれを係止する係止孔を穿設した挿入部とを形成したブラケットとを備え、前記爪部を前記係止用の係止部に係合しこれを支点にして前記突起部を前記係止孔に押圧係止することで前記モータープロテクターを前記密閉型電動圧縮機に装着固定してなるもので、スプリングクリップ等の部品が不要で、安価にできかつ、ワンタッチでモータープロテクターを装着固定できるので、組立性が向上し、組立工数も減る。
【発明の効果】
【００１３】
本発明の密閉型電動圧縮機のモ−ター保護装置は、生産性が高く、コストの安い密閉型電動圧縮機のモーター保護装置を提供することができる。
【発明を実施するための最良の形態】
【００１４】
請求項１に記載の発明は、略円筒形をなす本体部に、鍵状の爪部を端面に設けたアーム部と、挿入方向に対して各々反対方向に傾斜したテーパー部を備えた係止用の突起部とを備えたモータープロテクターと、密閉型電動圧縮機外側に固定され前記爪部に対応しこれを係止する係止部と前記突起部に対応しこれを係止する係止孔を穿設した挿入部とを形成したブラケットとを備え、前記爪部を前記係止用の係止部に係合しこれを支点にして前記突起部を前記係止孔に押圧係止することで前記モータープロテクターを前記密閉型電動圧縮機に装着固定してなるもので、スプリングクリップ等の部品が不要で、安価にできかつ、ワンタッチでモータープロテクターを装着固定できるので、組立性が向上し、組立工数も減るので、生産性が高く、コストの安い密閉型電動圧縮機のモーター保護装置を提供することができる。
【００１５】
請求項２に記載の発明は、請求項１の発明に、本体部とアーム部及び突起部を、熱可塑性の樹脂材で一体に形成されるもので、本体部とアーム部及び突起部が同時成形できることからモータープロテクターとスプリングクリップの組立工数を減らせるので組み付け作業の生産性が向上する。
【００１６】
請求項３に記載の発明は、請求項１の発明に、係止部は薄板部材を略コ字状に折曲形成したブラケットにアーム部が係止されることで、より確実に鍵状の爪部を係合することができ、組み付け作業の生産性が良くなる。
【００１７】
請求項４に記載の発明は、請求項１の発明に、突起部が挿入される挿入部の端面に、外に向かって拡がるテーパー部を設けることで、係止用の突起部が入りやすく、優れた組み付け作業の生産性を発揮する。
【００１８】
（実施の形態１）
図１は本発明の実施の形態１における密閉型電動圧縮機のモーター保護装置の側面図、図２は同、モータープロテクター固着前の要部拡大Ａ−Ａ矢視図、図３は同、モータープロテクター固着後の要部拡大Ａ−Ａ矢視図、図４は図１におけるＢ−Ｂ矢視図、図５は図１におけるＣ−Ｃ矢視図、図６はモータープロテクターの拡大正面図、図７はモータープロテクターの要部拡大Ａ−Ａ矢視図、図８はモータープロテクターの要部拡大Ｂ−Ｂ矢視図、図９はブラケットの拡大正面図、図１０はブラケットの要部拡大Ｅ−Ｅ矢視図、図１１はブラケットの要部拡大Ｆ−Ｆ矢視図、図１２はブラケットの要部拡大Ｇ−Ｇ矢視図である。
【００１９】
以下、図１から図１２に基づいて、本発明の実施の形態について説明する。
【００２０】
図１から図１２において、圧縮機本体を形成する密閉容器１０１には、電動要素（図示せず）と、この電動要素より駆動される圧縮要素（図示せず）とが、複数のスプリング（図示せず）によって弾性的に保持されている。
【００２１】
密閉容器１０１には、密閉容器１０１内外を電気的に連絡するハーメチックターミナル１０２を備えるとともに、電装品カバー（図示せず）を固定するためのブラケット１０３を密閉容器１０１の外側に溶接固定している。
【００２２】
モータープロテクター１０４は、内部に密閉容器１０１の温度や電流を感知して動作するよう、ヒーター（図示せず）とバイメタル（図示せず）を内蔵した略円筒形の本体部１０５を備える。
【００２３】
本体部１０５は熱可塑性の樹脂材で形成され、延出形成されたアーム部１０７と、突出形成された突起部１１０が一体に形成されている。アーム部１０７の反密閉容器１０１側端部には鍵状の爪部１０６を形成している。鍵状の爪部１０６の外周は略円弧状をなしている。突起部１１０は挿入方向に対して挿入しやすくした鈍角状の傾斜をしたテーパーＡ部１０８と、本体部１０５を密閉容器１０１の方に押圧するための鋭角状の傾斜したテーパーＢ部１０９を形成している。
【００２４】
ブラケット１０３は薄板部材を略コの字状に折曲形成し、ハーメチックターミナル１０２を囲うように配設されている。
【００２５】
ブラケット１０３にはさらに、モータープロテクター１０４の鍵状の爪部１０６に対応しこれを係止する係止部１１１と、突起部１１０に対応しこれを係止する係止孔１１２を穿設した挿入部１１３が形成されている。
【００２６】
係止部１１１は薄板部材を略コの字状に折曲形成するとともに、爪部１０６が上下方向に外れないよう、両側に規制部１１１ａと規制部１１１ｂをさらに折曲形成している。
【００２７】
また、ブラケット１０３にはさらに、モータープロテクター１０４の突起部１１０が挿入される係止孔を穿設した挿入部１１３が形成されている。
【００２８】
挿入部１１３の端面には、突起部１１０を挿入しやすくするため外に向かって拡がるテーパー部１１４を形成している。
【００２９】
以上のように構成された圧縮機について、以下にその組立動作を説明する。
【００３０】
ブラケット１０３の係止部１１１にモータープロテクター１０４のアーム部１０７に設けた爪部１０６を挿入係合し、これを支点Ｊにしてモータープロテクター１０４をＫ方向に回転させながら突起部１１０を係止孔１１２に押圧係止することでモータープロテクター１０４はブラケット１０３に固定される。
【００３１】
この際、ブラケット１０３の挿入部１１３に設けたテーパー部１１４がモータープロテクター１０４の突起部１１０を受け止め、Ｌ方向に押し拡がりテーパーＡ部１０８が係止孔１１２にスムーズに導入することができるため、極めて取り付け作業性が良好である。
また、鍵状の爪部１０６の外周は略円弧状をなしているため、爪部１０６を支点Ｊにしてモータープロテクター１０４をＫ方向に回転させる際にスムーズに回すことができる。
【００３２】
ここで、アーム部１０７及び突起部１１０は本体部１０５と一体に形成されており、これらを一体にする作業は一切不要である。
【００３３】
また突起部１１０に設けたテーパーＢ部１０９が、いったん係止孔１１２に嵌合すると挿入部１１３はＭ方向に戻ろうとし、その反発力がモータープロテクター１０４をＮ方向に押付ける力となって、モータープロテクター１０４は密閉容器１０１側に押し付けられるので、モータープロテクター１０４は密閉容器１０１に安定して固定される。
【００３４】
また、モータープロテクター１０４は密閉容器１０１側に押し付けられることで、密閉容器１０１との隙間ができにくく、密閉容器１０１の熱影響を確実に受けることで、モータープロテクター１０４は安定した保護特性を発揮することができる。
【００３５】
係止部１１１は略コの字状に形成されているので、爪部１０６が確実に係止部１１１と係合することで、作業性がスムーズである。また係止部１１１は薄板部材を折曲形成することで形成されているので、安価である。さらに両側に規制部１１１ａと規制部１１１ｂを折曲形成しているため、爪部１０６が上下方向にずれないので、より確実にモータープロテクター１０４をブラケット１０３に固定することができる。
【００３６】
以上のように、本実施の形態によれば、生産性が高く、コストの安い密閉型電動圧縮機のモーター保護装置を提供することができる。
【産業上の利用可能性】
【００３７】
以上のように、本発明にかかる密閉型電動圧縮機のモーター保護装置は、安価で抜けにくく組み付け作業性の良い圧縮機を提供することができるので自販機、冷凍ショーケース、除湿機などの用途にも適用できる。
【図面の簡単な説明】
【００３８】
【図１】本発明の実施の形態１における密閉型電動圧縮機のモーター保護装置の側面図
【図２】同、モータープロテクター固着前の要部拡大Ａ−Ａ矢視図
【図３】同、モータープロテクター固着後の要部拡大Ａ−Ａ矢視図
【図４】図１におけるＢ−Ｂ矢視図
【図５】図１におけるＣ−Ｃ矢視図
【図６】本発明の実施の形態１におけるモータープロテクターの拡大正面図
【図７】同、モータープロテクターの要部拡大Ａ−Ａ矢視図
【図８】同、モータープロテクターの要部拡大Ｂ−Ｂ矢視図
【図９】同、ブラケットの拡大正面図
【図１０】同、ブラケットの要部拡大Ｅ−Ｅ矢視図
【図１１】同、ブラケットの要部拡大Ｆ−Ｆ矢視図
【図１２】同、ブラケットの要部拡大Ｇ−Ｇ矢視図
【図１３】従来の密閉型電動圧縮機の側面図
【図１４】図１３のＨ−Ｈ矢視図
【図１５】従来のモーター保護装置の拡大図
【図１６】従来のスプリングクリップの側面図
【図１７】従来のスプリングクリップの拡大側面図
【符号の説明】
【００３９】
１０１    密閉容器
１０２    ハーメチックターミナル
１０３    ブラケット
１０４    モータープロテクター
１０５    本体部
１０６    爪部
１０７    アーム部
１０８    テーパーＡ部
１０９    テーパーＢ部
１１０    突起部
１１１    係止部
１１２    係止孔
１１３    挿入部
１１４    テーパー部
【図１】
2006161707.tif 000003
【図２】
2006161707.tif 000004
【図３】
2006161707.tif 000005
【図４】
2006161707.tif 000006
【図５】
2006161707.tif 000007
【図６】
2006161707.tif 000008
【図７】
2006161707.tif 000009
【図８】
2006161707.tif 000010
【図９】
2006161707.tif 000011
【図１０】
2006161707.tif 000012
【図１１】
2006161707.tif 000013
【図１２】
2006161707.tif 000014
【図１３】
2006161707.tif 000015
【図１４】
2006161707.tif 000016
【図１５】
2006161707.tif 000017
【図１６】
2006161707.tif 000018
【図１７】
2006161707.tif 000019